(57)【特許請求の範囲】
【請求項１】
繊維を用いた布の片面にホットメルト接着剤を積層して成る織マークを、所定のマーク形状にヒートカットした後に被着体の所定位置に上記ホットメルト接着剤により熱圧着させる熱圧着方法であって、
上記ヒートカット温度以上の耐熱性を有する耐熱性シート上に粘着剤を積層して成る耐熱粘着レイアウトシートを用意し、
上記耐熱粘着レイアウトシートの粘着剤上に上記織マークを繊維側が粘着剤側になるように重ねて固定した状態で、その耐熱粘着レイアウトシート上の織マークをホットメルト接着剤層の側からヒートペンによって所望のマーク形状にヒートカットし、
上記織マークのマーク形状以外の不要部分を耐熱粘着レイアウトシートから取り除いた後、該織マークを耐熱粘着レイアウトシートと共に被着体の所定位置に熱圧着させ、しかる後に、上記耐熱粘着レイアウトシートを織マークから剥がすことを特徴とする織マークの熱圧着方法。
【請求項２】
繊維を用いた布の片面にホットメルト接着剤を積層して成る織マークを、所定のマーク形状にヒートカットした後に被着体の所定位置に上記ホットメルト接着剤により熱圧着させる熱圧着方法であって、
溶融温度３００℃以上のポリイミド樹脂から成る耐熱性シート上に粘着剤を積層して成る耐熱粘着レイアウトシートを用意し、
上記耐熱粘着レイアウトシートの粘着剤上に上記織マークを繊維側が粘着剤側になるように重ねて固定した状態で、その耐熱粘着レイアウトシート上の織マークをホットメルト接着剤層の側から所望のマーク形状にヒートカットし、
上記織マークのマーク形状以外の不要部分を耐熱粘着レイアウトシートから取り除いた後、該織マークを耐熱粘着レイアウトシートと共に被着体の所定位置に熱圧着させ、しかる後に、上記耐熱粘着レイアウトシートを織マークから剥がすことを特徴とする織マークの熱圧着方法。
【請求項３】
繊維を用いた布の片面にホットメルト接着剤を積層して成る織マークを、所定のマーク形状にヒートカットした後に被着体の所定位置に上記ホットメルト接着剤により熱圧着させる熱圧着方法であって、
ガラス転移温度が２００℃以上の樹脂から成る耐熱性シート上に粘着剤を積層して成る耐熱粘着レイアウトシートを用意し、
上記耐熱粘着レイアウトシートの粘着剤上に上記織マークを繊維側が粘着剤側になるように重ねて固定した状態で、その耐熱粘着レイアウトシート上の織マークをホットメルト接着剤層の側から所望のマーク形状にヒートカットし、
上記織マークのマーク形状以外の不要部分を耐熱粘着レイアウトシートから取り除いた後、該織マークを耐熱粘着レイアウトシートと共に被着体の所定位置に熱圧着させ、しかる後に、上記耐熱粘着レイアウトシートを織マークから剥がすことを特徴とする織マークの熱圧着方法。
【請求項４】
請求項１乃至３のいずれかの織マークの熱圧着方法において、耐熱粘着レイアウトシートの耐熱性シートは、透明又は半透明のシートであることを特徴とする織マークの熱圧着方法。
【請求項５】
繊維を用いた布の片面にホットメルト接着剤を積層して成る織マークを、所定のマーク形状にヒートカットした後に被着体の所定位置にホットメルト接着剤により熱圧着させる熱圧着方法に用いられる耐熱粘着レイアウトシートであって、
溶融温度３００℃以上のポリイミド樹脂から成る耐熱性シート上に粘着剤を積層して成り、
上記織マークのヒートカット時に織マークが上記粘着剤上に織マークの繊維側を粘着剤側にして戴置固定された状態でヒートカットされ、
上記織マークのヒートカット後に織マークのマーク形状以外の不要部分が除去されるように構成されていることを特徴とする耐熱粘着レイアウトシート。
【請求項６】
繊維を用いた布の片面にホットメルト接着剤を積層して成る織マークを、所定のマーク形状にヒートカットした後に被着体の所定位置にホットメルト接着剤により熱圧着させる熱圧着方法に用いられる耐熱粘着レイアウトシートであって、
ガラス転移温度が２００℃以上の樹脂から成る耐熱性シート上に粘着剤を積層して成り、
上記織マークのヒートカット時に織マークが上記粘着剤上に織マークの繊維側を粘着剤側にして戴置固定された状態でヒートカットされ、
上記織マークのヒートカット後に織マークのマーク形状以外の不要部分が除去されるように構成されていることを特徴とする耐熱粘着レイアウトシート。
【発明の詳細な説明】
【０００１】
【発明の属する技術分野】
本発明は、化学繊維等の繊維を用いた布を支持体とする織マークをスポーツユニフォームの背番号や胸マーク等に使用するためにヒートカットして被着体に熱圧着させる場合の熱圧着方法、及びそれに用いられる耐熱粘着レイアウトシートに関する技術分野に属する。
【０００２】
【従来の技術】
従来より、化学繊維等の繊維を用いた布を支持体とする織マークを被着体の所定位置に接着してマーキングする場合、布の片面にホットメルト接着剤層を積層して成る織マークが一般に用いられている。
【０００３】
このような織マークを被着体に接着する場合、織マークを平滑なガラス板や金属板等から成るカット台上にスプレー糊（粘着剤）等を用いて動かないように仮固定し、この仮固定された織マークを、ヒートペンやヒートカッター等を用いて溶融切断しながら所望のマーク形状にカッティングする。そして、このカッティングされたマーク形状の各織マークをカット台から剥がして、例えば厚さ１００〜２００μｍのポリエチレンテレフタレート（ＰＥＴ）上に粘着剤をコーティングした粘着シートから成るレイアウトシート上に人手で並べ、そして、このレイアウトシートをユニフォーム等の被着体のマーキングしようとする箇所に、被着体とホットメルト接着剤層とが接触するように置いて熱プレスで加熱加圧することにより、上記ホットメルト接着剤層を溶融させて各織マークを被着体に一体に接着させた後、上記レイアウトシートを剥がすようにしている。
【０００４】
また、上記のようなレイアウトシートを用いずに、織マークを直接、ユニフォーム等の被着体の所定位置に、被着体とホットメルト接着剤層とが接触するように一つずつ人手で置き、熱プレスで加熱加圧することにより、各織マークを被着体に一体に接着させるようにしている。
【０００５】
【発明が解決しようとする課題】
しかし、上記従来の熱圧着方法では、文字や数字等にヒートカットされた織マークをレイアウトシート上又は被着体上の所定位置に並べる場合、上記文字や数字の織マークの１つ１つを人手で並べるので極めて手間がかかるのは避けられない。また、人手による作業であるので、織マークがレイアウトシート又は被着体の所定のマーキング位置からずれたり、或いは間違った箇所にレイアウトされたりするといった問題が生じていた。
【０００６】
本発明は斯かる点に鑑みてなされたものであり、その目的とするところは、上記レイアウトシートに工夫を凝らすことにより、ヒートカットした織マークの１つ１つを人手でレイアウトシート又は被着体に並べるという手間を省き、さらには、織マークを人手によってレイアウトシート又は被着体にレイアウトする場合に発生するズレや間違いを防止することにある。
【０００７】
【課題を解決するための手段】
上記の目的を達成するために、この発明では、ヒートカット温度以上の耐熱性を有する耐熱粘着レイアウトシート上に織マークを保持してヒートカットすると共に、そのヒートカット後の織マークを耐熱性レイアウトシートで保持したまま被着体に熱圧着させるようにした。
【０００８】
具体的には、請求項１の発明では、繊維を用いた布の片面にホットメルト接着剤を積層して成る織マークを、所定のマーク形状にヒートカットした後に被着体の所定位置に上記ホットメルト接着剤により熱圧着させる熱圧着方法であって、まず、上記ヒートカット温度以上の耐熱性を有する耐熱性シート上に粘着剤を積層して成る耐熱粘着レイアウトシートを用意する。そして、この耐熱粘着レイアウトシートの粘着剤上に上記織マークを繊維側が粘着剤側になるように重ねて固定した状態で、その耐熱粘着レイアウトシート上の織マークをホットメルト接着剤層の側からヒートペンによって所望のマーク形状にヒートカットする。次いで、上記織マークのマーク形状以外の不要部分を耐熱粘着レイアウトシートから取り除いた後、その織マークを耐熱粘着レイアウトシートと共に被着体の所定位置に熱圧着させ、しかる後に、上記耐熱粘着レイアウトシートを織マークから剥がす。
【０００９】
上記の方法によると、織マークを耐熱粘着レイアウトシート上に織マークの繊維側が粘着剤側になるように固定した状態で、織マークのホットメルト接着剤の側からヒートカットし、そのヒートカット後にマーク形状の織マークを同一のレイアウトシート上に固定したままの状態で被着体に熱圧着させるため、上記織マークを、例えばコンピューター上にレイアウトした通りのマーク形状にカッティングできるとともに、ヒートカットした後の織マークの１つ１つを人手でレイアウトシート上又は直接被着体上に並べるという手間を省くことが可能となる。しかも、上記カッティングした織マークをレイアウトシート上又は直接被着体上にレイアウトする場合に生じるズレや間違いを防止することができる。
【００１０】
請求項２の発明では、繊維を用いた布の片面にホットメルト接着剤を積層して成る織マークを、所定のマーク形状にヒートカットした後に被着体の所定位置に上記ホットメルト接着剤により熱圧着させる熱圧着方法であって、まず、溶融温度３００℃以上のポリイミド樹脂から成る耐熱性シート上に粘着剤を積層して成る耐熱粘着レイアウトシートを用意する。そして、この耐熱粘着レイアウトシートの粘着剤上に上記織マークを繊維側が粘着剤側になるように重ねて固定した状態で、その耐熱粘着レイアウトシート上の織マークをホットメルト接着剤層の側から所望のマーク形状にヒートカットする。次いで、上記織マークのマーク形状以外の不要部分を耐熱粘着レイアウトシートから取り除いた後、その織マークを耐熱粘着レイアウトシートと共に被着体の所定位置に熱圧着させ、しかる後に、上記耐熱粘着レイアウトシートを織マークから剥がす。
【００１１】
この発明の方法によれば、耐熱粘着レイアウトシートの耐熱性シートは３００℃以上の溶融温度を持つポリイミド樹脂が用いられているので、ヒートカット時には耐熱粘着レイアウトシート（耐熱性シート）が織マークと一緒に切断されてしまうということはなく、レイアウトシートと織マークとを一体にヒートカットを行うことができ、望ましい耐熱性シートが具体的に得られる。尚、耐熱性シートの溶融温度は３００℃よりも低いと、ヒートカット時に織マークと共にカットされる虞れがあるので３００℃以上とする。
【００１２】
請求項３の発明では、繊維を用いた布の片面にホットメルト接着剤を積層して成る織マークを、所定のマーク形状にヒートカットした後に被着体の所定位置に上記ホットメルト接着剤により熱圧着させる熱圧着方法であって、まず、ガラス転移温度Ｔｇが２００℃以上の樹脂から成る耐熱性シート上に粘着剤を積層して成る耐熱粘着レイアウトシートを用意する。そして、この耐熱粘着レイアウトシートの粘着剤上に上記織マークを繊維側が粘着剤側になるように重ねて固定した状態で、その耐熱粘着レイアウトシート上の織マークをホットメルト接着剤層の側から所望のマーク形状にヒートカットする。次いで、上記織マークのマーク形状以外の不要部分を耐熱粘着レイアウトシートから取り除いた後、その織マークを耐熱粘着レイアウトシートと共に被着体の所定位置に熱圧着させ、しかる後に、上記耐熱粘着レイアウトシートを織マークから剥がす。このような樹脂シートとしては、ポリイミド、ポリエーテルスルフォン、ポリアリレート等の樹脂シート、ケブラーフィルム、テクノーラフィルム等が用いられる。
【００１３】
この発明の方法によれば、耐熱粘着レイアウトシートの耐熱性シートは２００℃以上のガラス転移温度Ｔｇを持つ樹脂が用いられているので、ヒートカット時には耐熱粘着レイアウトシート（耐熱性シート）が織マークと一緒に切断されてしまうということはなく、レイアウトシートと織マークとを一体にヒートカットを行うことができ、望ましい耐熱性シートが具体的に得られる。尚、耐熱性シートのガラス転移温度Ｔｇは２００℃よりも低いと、ヒートカット時に織マークと共にカットされる虞れがあるので２００℃以上とする。
【００１４】
請求項４の発明では、上記耐熱粘着レイアウトシートの耐熱性シートは透明又は半透明のものとする。このように、耐熱性シートが透明又は半透明であるので、ヒートカットした織マークのマーク形状以外の不要部分を耐熱粘着レイアウトシートから取り除いた後、該織マークを耐熱粘着レイアウトシートと一体的に被着体の所定位置にレイアウトして熱圧着する場合に、被着体上のマーク位置が安定して見えるようになり、そのマーク位置が見えないために生ずるズレや間違い等の問題を防止できる。
【００１５】
請求項５の発明は、繊維を用いた布の片面にホットメルト接着剤を積層して成る織マークを、所定のマーク形状にヒートカットした後に被着体の所定位置にホットメルト接着剤により熱圧着させる熱圧着方法に用いられる耐熱粘着レイアウトシートの発明である。この耐熱性粘着レイアウトシートは、溶融温度３００℃以上のポリイミド樹脂から成る耐熱性シート上に粘着剤を積層して成る。そして、織マークのヒートカット時に織マークが上記粘着剤上に織マークの繊維側を粘着剤側にして戴置固定された状態でヒートカットされ、そのヒートカット後に織マークのマーク形状以外の不要部分が除去されように構成されていることとする。この発明でも上記請求項１の発明と同様の作用効果が得られる。
【００１６】
請求項６の発明は、繊維を用いた布の片面にホットメルト接着剤を積層して成る織マークを、所定のマーク形状にヒートカットした後に被着体の所定位置にホットメルト接着剤により熱圧着させる熱圧着方法に用いられる耐熱粘着レイアウトシートの発明である。この耐熱性粘着レイアウトシートは、ガラス転移温度Ｔｇが２００℃以上の樹脂から成る耐熱性シート上に粘着剤を積層して成る。そして、織マークのヒートカット時に織マークが上記粘着剤上に織マークの繊維側を粘着剤側にして戴置固定された状態でヒートカットされ、そのヒートカット後に織マークのマーク形状以外の不要部分が除去されように構成されていることとする。この発明でも上記請求項１の発明と同様の作用効果が得られる。
【００１７】
【発明の実施の形態】
図２は本発明の実施形態に係る織マーク１を示し、この織マーク１は、化学繊維を用いた布１ｂの片面にホットメルト接着剤１ａを積層してなるもので、ホットメルト接着剤１ａは、布１ｂを被着体としての後述するユニフォーム６へ接着する役目、布１ｂ自体に腰を持たせる役目等を担っている。また、ホットメルト接着剤層１ａを構成する接着剤の種類としては、ポリエチレン系、ポリウレタン系、ポリアミド系、ポリエステル系、ポリ酢酸ビニル系、ポリメタクリレート系等の少なくとも１つ以上の接着剤が用途目的に応じて選定される。一方、上記布１ｂは、化学繊維からなるものに限定されず、ヒートカット機のヒートペン温度により切断されるものであればよい。
【００１８】
図１は、本発明の実施形態に係る耐熱粘着レイアウトシートＡを示す。この耐熱粘着レイアウトシートＡは耐熱性シート３上に粘着剤２が積層されてなる。この粘着剤２は、ヒートペン等によるカット作業時に上記織マーク１を耐熱粘着レイアウトシートＡ上に密着固定させる役目と、織マーク１が熱圧着時に布地から位置ズレしないようにする役目とを担っている。粘着剤２を構成する粘着剤の種類としては、アクリル系、ゴム系、ポリウレタン系等が望ましい。また、上記粘着剤２の厚みは例えば３０μｍ程度に設定するのがよい。この厚みに設定したことによって織マーク１の布１ｂと耐熱性シート３との密着力を適切に保ち、ヒートカット時に織マーク１が動いてズレ等が生じるのを防ぐことができる。
【００１９】
さらに、上記耐熱性シート３は、ヒートカット時のヒートペン等によって切断されないようにするために、ヒートペン等によるヒートカット温度以上の耐熱性を有する。具体的には、耐熱性シート３は、その溶融温度が３００℃以上、より好ましくは５００℃以上のポリイミド樹脂から成る透明又は半透明（目視でレイアウトシート上の目的の位置がわかる程度の透明性を有するもの）のシートである。又は、耐熱性シート３のガラス転移温度Ｔｇが２００℃以上、より好ましくは２５０℃以上のポリイミド樹脂から成る透明又は半透明（目視でレイアウトシート上の目的の位置がわかる程度の透明性を有するもの）のシートである。この耐熱性シート３の厚さは例えば５０μｍに設定される。尚、この耐熱性シート３は、ポリイミド樹脂から成る透明又は半透明のシートの他に、上記ポリイミド樹脂と同等か又はそれ以上の耐熱性を持つ透明又は半透明なシートとすることが可能である。
【００２０】
次に、上記の如く構成された耐熱粘着レイアウトシートＡを用いて織マーク１をユニフォーム６上へマーキングする作業を図３〜図６に基づいて説明する。
【００２１】
まず、図３に示すように、ガラス板等から成るセット台４上に上記耐熱粘着レイアウトシートＡを耐熱性シート３が接触するように置き、その端をテープ等で止めて固定する。上記セット台４はガラス板に限らず金属板等であっても構わない。
【００２２】
そして、上記耐熱粘着レイアウトシートＡ上に上記織マーク１をその布１ｂ側が粘着剤２と粘着するように置き、この粘着剤２において耐熱粘着レイアウトシートＡに固定された織マーク１を図外のヒートカット機により所望のマーク形状（図示例では「ＢＡ」の表裏反転形状）にカッティングする。このカッティングにおいては、耐熱性シート３はヒートカット温度以上の耐熱性を備えているため、織マーク１のみがカッティングされることとなる。このとき、後述するように、カッティングされた織マーク１を表裏反対にしてユニフォーム６に接着するため、ユニフォーム６へのマーキング形状とは表裏反転形状にヒートカットを行う必要があり、例えば本実施形態では「ＢＡ」の表裏反転形状にヒートカットを行う。
【００２３】
次いで、図４に示すように、上記ヒートカッティング後の織マーク１から不要部分（図示例では「ＢＡ」の表裏反転文字を残してその周り）を取り除くことにより、所望のマーク形状のみの織マーク１を耐熱粘着レイアウトシートＡ上に形成する。
【００２４】
この後、図５に示すように、上記耐熱粘着レイアウトシートＡ上のマーク形状の織マーク１を、マーキングしようとする被着体であるユニフォーム６上に熱圧着させる。すなわち、まず、図５（ａ）に示すように、ユニフォーム６をプレス装置のプレス下板７上に置き、さらに、このユニフォーム６上のマーキングしようとする箇所に、上記不要部分を取り除いた織マーク１を耐熱粘着レイアウトシートＡと一体にしてセットする。このとき、上記耐熱粘着レイアウトシートＡの耐熱性シート３は、耐熱粘着レイアウトシートＡを通してユニフォーム６における対象のレイアウト位置が目視できる程度の透明又は半透明のシートであるため、織マーク１をユニフォーム６にレイアウトする場合のズレや間違い等を防止できる。
【００２５】
そして、この状態で、プレス装置における熱板から成るプレス上板５を下降させ、このプレス上板５で織マーク１をユニフォーム６に押し付けて加熱加圧をすることにより、織マーク１をそのホットメルト接着層１ａによりユニフォーム６に一体に接着する。
【００２６】
その後、上記織マーク１、耐熱粘着レイアウトシートＡ及びユニフォーム６をプレス装置から取り出し、図５（ｂ）に示すように、耐熱粘着レイアウトシートＡを織マーク１の布１ｂから剥離する。このことにより、図５（ｃ）及び図６に示すように、織マーク１の所望のマーク形状がユニフォーム６上に一体に熱圧着されてマーキングが終わる。
【００２７】
従って、この実施形態においては、耐熱粘着レイアウトシートＡ上に織マーク１をその布１ｂ側が粘着剤２側になるように固定し、次いで織マーク１のホットメルト接着剤層１ａの側からヒートカットを行うことができ、織マーク１をレイアウトした通りのマーク形状にカッティングできると共に、ヒートカットした後の織マーク１の１つ１つを人手で耐熱粘着レイアウトシートＡ上に並べる必要はない。また、該織マーク１を耐熱粘着レイアウトシートＡと一体に被着体の所定位置にレイアウトして熱圧着するので、被着体上の織マーク１のズレや間違い等の問題を防止できる。
【００２８】
【実施例】
次に、具体的に実施した実施例について説明する。まず、厚さ５０μｍの耐熱性シートに粘着剤を３０μｍ設けてレイアウトシートを作製した。この耐熱性シートとしては、東レ（株）製の商品名「カプトン」からなるポリイミドシートを、また粘着剤としては一方社油脂工業社製の商品名「ＡＳ・６６５」のアクリル系粘着剤をそれぞれ用いた。
【００２９】
そして、上記レイアウトシートをガラス板上に上記耐熱性シートが接触するように置き、その端をセロテープで止めた。その後、宝来社製の「ＡＴサテン」からなる織マークをレイアウトシート上に織マークの布側とレイアウトシートの粘着剤側とが接触するように置き、ヒートカット機でレイアウトした通りのマーク形状にヒートカットした。ヒートカット機のヒートペン温度は５００℃で、カットスピードは３ｍ／分であった。その後に、織マークの不要部分を取り除いた。このとき、ポリイミド樹脂から成る耐熱性シートは切断されずに所望の形状にレイアウトされた織マークのマーク形状をレイアウトシート上に作ることができた。
【００３０】
次いで、この織マークのついたレイアウトシートをユニフォーム上に置き、熱プレスでユニフォームと織マークのホットメルト接着剤とを接着させた後、レイアウトシートを剥がした。その結果、ユニフォーム上に所望の形状の織マークをずれなくマーキングできた。よって本発明が有効なことが裏付けられた。
【００３１】
【発明の効果】
以上説明したように、請求項１〜６の発明によると、織マークをそのホットメルト接着剤により被着体の所定位置に熱圧着させる場合に、ヒートカット温度以上の耐熱性を有する耐熱粘着レイアウトシート上に上記織マークを重ねて固定した状態で、その織マークを所望のマーク形状にヒートカットし、そのマーク形状以外の不要部分をレイアウトシートから取り除いた織マークを耐熱粘着レイアウトシートと共に被着体の所定位置に熱圧着させた後に、耐熱粘着レイアウトシートを織マークから剥がすようにしたことにより、ヒートカットした織マークの１つ１つを人手でレイアウトシート上に並べるという手間を省いて作業性の向上を図ると共に、織マークを耐熱粘着レイアウトシート上にレイアウトする場合に生じるズレや間違いを防止して、織マークの圧着精度の向上を図ることができる。
【００３２】
請求項２及び３の発明によれば、耐熱粘着レイアウトシートの耐熱性シートを、溶融温度３００℃以上のポリイミド樹脂から成るシート、又はガラス転移温度が２００℃以上の樹脂から成るシートとしたことで、上記耐熱性シートの望ましい例が容易に得られる。
【００３３】
請求項４の発明によると、上記耐熱性シートは、透明又は半透明のシートとしたことにより、上記ヒートカット後に不要部分をレイアウトシートから取り除き、該織マークを耐熱粘着レイアウトシートと共に被着体上の所定位置にレイアウトする場合に生じるズレや間違い等を防止することができる。
【図面の簡単な説明】
【図１】本発明の実施形態に係る耐熱粘着レイアウトシートの断面図である。
【図２】織マークの断面図である。
【図３】本発明の実施形態に係る熱圧着方法において織マークを耐熱粘着レイアウトシート上に固定した状態を示す斜視図である。
【図４】織マークをヒートカットした状態を示す斜視図である。
【図５】ヒートカットされた織マークをユニフォームに熱圧着する工程を示す工程図である。
【図６】ユニフォーム上にマーキングされた織マークを示す斜視図である。
【符号の説明】
１  織マーク
１ａ  ホットメルト接着剤
１ｂ  布
２  粘着剤
３  耐熱性シート
６  ユニフォーム（被着体）
Ａ  耐熱粘着レイアウトシート
【図１】
0003561722.tif 000002
【図２】
0003561722.tif 000003
【図３】
0003561722.tif 000004
【図４】
0003561722.tif 000005
【図５】
0003561722.tif 000006
【図６】
0003561722.tif 000007